(57)【特許請求の範囲】
【請求項１】
本体と、前記本体の正面側に左右対称に取り付けられていて、それぞれが下端側を軸に相反する方向へ左右対称に回動して、上端間の間隔を左右方向へ拡大／縮小する一対の羽根状開閉部材と、前記羽根状開閉部材を駆動するソレノイドとを備えてなるチューリップ型の入賞装置において、
前記本体の正面側には、開口が形成されており、
前記ソレノイドは、一方の端面からプランジャが突出するとともに、他方の端面が前記ソレノイドの外装をなす金属製ケースによって覆われた構造で、前記一方の端面が背面側、前記他方の端面が正面側を向くように配置されて、正面側に向けられた端部が前記開口の背面側から前記開口内に嵌め込まれることにより、前記他方の端面が前記開口を介して前記本体の正面側に露出する状態で前記本体に固定されており、
さらに、前記本体の正面側に金属シートを貼着して、前記ソレノイドの前記他方の端面が前記金属シートの背面側に接触するように構成した
ことを特徴とする弾球遊技機の入賞装置。
【発明の詳細な説明】
【０００１】
【発明の属する技術分野】
本発明は、弾球遊技機の入賞装置に関する。
【０００２】
【従来の技術】
従来から、入口となる箇所に配設された開閉部材を開閉動作させて、入口を開放（または拡大）したり閉鎖（または縮小）したりするように構成された入賞装置が知られている。この種の入賞装置は、通常、入賞装置の背面側にソレノイドが組み込まれていて、このソレノイドによって開閉部材を駆動している。
【０００３】
【発明が解決しようとする課題】
しかし、上記従来の入賞装置は、ソレノイドから発生する熱が入賞装置の背面側において放出されるため、弾球遊技機の背面側空間に熱がこもりやすく、弾球遊技機の背面側に配設された制御基板やその他の機器類の温度を上昇させる要因となっていた。
【０００４】
本発明は、上記問題を解決するためになされたものであり、その目的は、弾球遊技機の背面側空間における温度上昇を抑制可能な入賞装置を提供することにある。
【０００５】
【課題を解決するための手段、および発明の効果】
上述の目的を達成するために、本発明の弾球遊技機の入賞装置は、
本体と、前記本体の正面側に左右対称に取り付けられていて、それぞれが下端側を軸に相反する方向へ左右対称に回動して、上端間の間隔を左右方向へ拡大／縮小する一対の羽根状開閉部材と、前記羽根状開閉部材を駆動するソレノイドとを備えてなるチューリップ型の入賞装置において、
前記本体の正面側には、開口が形成されており、
前記ソレノイドは、一方の端面からプランジャが突出するとともに、他方の端面が前記ソレノイドの外装をなす金属製ケースによって覆われた構造で、前記一方の端面が背面側、前記他方の端面が正面側を向くように配置されて、正面側に向けられた端部が前記開口の背面側から前記開口内に嵌め込まれることにより、前記他方の端面が前記開口を介して前記本体の正面側に露出する状態で前記本体に固定されており、
さらに、前記本体の正面側に金属シートを貼着して、前記ソレノイドの前記他方の端面が前記金属シートの背面側に接触するように構成した
ことを特徴とする。
【０００６】
この弾球遊技機の入賞装置において、ソレノイドは、上記他方の端面がソレノイドの外装をなす金属製ケースによって覆われた構造になっており、この他方の端面が正面側を向くように配置されて、正面側に向けられた端部が、本体に形成された開口の背面側から開口内に嵌め込まれ、他方の端面が開口を介して本体の正面側に露出する状態で本体に固定され、さらに、本体の正面側に金属シートを貼着して、ソレノイドの他方の端面が金属シートの背面側に接触する構造になっている。そのため、このソレノイドの他方の端面が、金属シートを介してソレノイドから発生する熱を遊技盤の表側へと放出させるので、その分だけ入賞装置の背面側に放出される熱が減少することになり、弾球遊技機の背面側空間における温度上昇を抑制することができる。
このような金属シートは、例えば、銅やアルミなどといった熱伝導率の高い金属で構成され、その一部をソレノイドの前記他方の端面に接触させることにより、ソレノイドで発生した熱が金属シートに伝わるように配設される。このように構成することにより、ソレノイドで発生した熱が金属シートの正面側へと伝わり、この金属シートの正面側が放熱面として機能して、遊技盤の表側に熱が放出されることになる。なお、放熱面には、熱の放出を妨げない範囲内で任意に装飾を施しても構わないので、開口を設けてソレノイドの前記他方の端面を直接露出させたものよりも、見栄えを良くすることができる。
【０００７】
なお、本発明でいう弾球遊技機の入賞装置には、本入賞装置に遊技球が入ると、それに連動して賞球の払い出しが行われることになるものはもちろんのこと、本入賞装置に遊技球が入ると、それに連動して別の装置（例えば、可変図柄表示装置）が作動することになるものも含まれる。また、本入賞装置に入った遊技球を遊技機の背面側へと通出させる入賞口を備えたものも、本入賞装置に入った遊技球をそのまま下方へと通過させるゲート型のものも含まれる。
【００１３】
また、本発明の弾球遊技機の入賞装置において、上記ソレノイドは、プランジャが前後方向に動作するように配設されているので、入賞装置の幅および高さをコンパクトに構成できる点でも好ましい。
【００１４】
【発明の実施の形態】
次に、本発明の実施形態の一例および参考例について説明する。
［参考例］
図１（ａ）および同図（ｂ）に示すように、入賞装置１は、いわゆるチューリップ型の入賞装置であり、本体３と、本体３の正面側に設けられた遊技球受け５と、この遊技球受け５の上側で開閉動作する一対の羽根状開閉部材７，９とを備えている。また、入賞装置１は、図２（ａ）および同図（ｂ）に示すように、ソレノイド１１と、ソレノイド１１のプランジャ１１ａの動作に連動して軸１３ａを中心に回動するレバー１３と、レバー１３の動作に連動して軸１５ａを中心に回動するアーム１５とを備え、このアーム１５の先端にある爪部１５ｂが、羽根状開閉部材７，９の背面側に突設された連接桿１７に連接している。
【００１５】
これらの内、本体３の正面側には開口３ａが形成されていて、ソレノイド１１の外装をなすケース１１ｂの一部が、開口３ａを介して装置正面側に露出した状態になっている。
羽根状開閉部材７，９は、それぞれが下端側にある軸７ａ，９ａを中心に相反する方向へ左右対称に回動し、上端間の間隔を左右方向へ拡大／縮小するものである。羽根状開閉部材７，９が上端間の間隔を縮小した際には、遊技盤上に打ち込まれ遊技釘（図示略）が障害物となって、遊技球が入賞装置１へ入らないかきわめて入りにくい状態になり、一方、羽根状開閉部材７，９が上端間の間隔を拡大した際には、遊技球が入賞装置１へ入りやすい状態になる。なお、図１（ｂ）においては、羽根状開閉部材７，９の回動範囲を示すために、図中左側には、羽根状開閉部材７が上端間の間隔を縮小する位置まで回動した状態を描いてあり、図中右側には、羽根状開閉部材９が上端間の間隔を拡大する位置まで回動した状態を描いてあるが、実際は、羽根状開閉部材７，９が、図示の如く左右非対称な位置に回動することはなく、常に左右対称な位置関係を維持したまま動作する。
【００１６】
羽根状開閉部材７，９の連接桿１７は、本体３に形成された遊技球通過穴２１の両脇にある凹部２３に通された状態で、本体３の内部に突出している。アーム１５の回動に伴って爪部１５ｂが上下方向に変位すると、連接桿１７は爪部１５ｂに従動して凹部２３内を移動し、その結果、羽根状開閉部材７，９が開閉動作する。
【００１７】
なお、ソレノイド１１は、プランジャ１１ａが前後方向に動作するように配設されているため、プランジャ１１ａが左右方向に動作するように配設されたものや、プランジャ１１ａが上下方向に動作するように配設されたものに比べ、入賞装置１の幅および高さはきわめてコンパクトになっている。
【００１８】
このように構成された入賞装置１において、ソレノイド１１が励磁されていない状態にある時は、図２（ａ）に示すように、バネ１１ｃの力でプランジャ１１ａが装置後方へ突出した状態にあり、また、アーム１５は、バネ（図示略）の力で爪部１５ｂを下方へ変位させる方向へ付勢されており、羽根状開閉部材７，９は上端間の間隔を縮小した状態にある。一方、ソレノイド１１が励磁されると、レバー１３が図２（ａ）中に示した矢印Ａ１方向へ回動し、これに従動してアーム１５が図２（ａ）中に示した矢印Ａ２方向へ回動し、アーム１５が回動するのに伴って連接桿１７が上動し、図２（ｂ）に示すように、羽根状開閉部材７，９が上端間の間隔を拡大する向きに傾倒する。なお、遊技球受け５に入った遊技球は、遊技球通過穴２１から本体３の内部に入り、入賞装置１の下方へと転落する。本体３の内部では、アーム１５が、遊技球の通過経路の側壁を兼ねており、遊技球の側方への脱落が防止される。
【００１９】
以上説明した入賞装置１によれば、ソレノイド１１の外装をなすケース１１ｂの一部が、開口３ａを介して装置正面側に露出した状態になっていて、ソレノイド１１において発生した熱が遊技盤の表側へと放出されるので、その分だけ入賞装置１の背面側に放出される熱が減少することになり、パチンコ機の背面側空間における温度上昇を抑制することができる。
【００２０】
［本発明の実施形態の一例］
上記入賞装置１は、ソレノイド１１の外装をなすケース１１ｂの一部が、開口３ａを介して装置正面側に露出した状態になっていたが、本発明の構成を採用する場合は、図３に示す入賞装置３１のように、本体３の正面側にアルミ製シート３３（本発明でいう金属シート）を貼着して、アルミ製シート３３の背面側にソレノイド１１のケース１１ｂを接触させ、ケース１１ｂからアルミ製シート３３に伝わる熱が、アルミ製シート３３の正面側において放出されるように構成する。
このように構成すれば、ソレノイド１１のケース１１ｂが装置正面側に露出せず、また、アルミ製シート３３の表面に装飾用印刷を施したり装飾用シールなどを貼着できるので、入賞装置３１の見栄えを良くすることができる。また、上記入賞装置１における開口３ａの面積よりも、アルミ製シート３３の面積が大きい場合には、より広い範囲に熱が広がるので放熱効果も高くなる。
【００２２】
［変形例等］
以上、本発明の実施形態について説明したが、本発明は上記の具体的な一実施形態に限定されず、この他にも種々の形態で実施することができる。
例えば、上記入賞装置１は、入賞装置１に入った遊技球を遊技機の背面側へと通出させる入賞口を備えたものであったが、入口側から入った遊技球をそのまま下方へと通過させる通過ゲートにおいても、上記入賞装置１と同様なチューリップ型の可動機構を採用したものが知られており、このような通過ゲートに本発明を適用してもよい。
【図面の簡単な説明】
【図１】  参考例に相当する弾球遊技機の入賞装置を示し、（ａ）はその正面図、（ｂ）は羽根状開閉部材の回動位置を示す概略図である。
【図２】  （ａ）は羽根状開閉部材の上端間の間隔を縮小した状態を示す縦断面図、（ｂ）羽根状開閉部材の上端間の間隔を拡大した状態を示す縦断面図である。
【図３】  本発明の一実施形態に相当する入賞装置を示す縦断面図である。
【符号の説明】
１・・・入賞装置、３・・・本体、３ａ・・・開口、５・・・遊技球受け、７，９・・・羽根状開閉部材、１１・・・ソレノイド、１１ａ・・・プランジャ、１１ｂ・・・ケース、１１ｃ・・・バネ、１３・・・レバー、１５・・・アーム、１７・・・連接桿、２１・・・遊技球通過穴、２３・・・凹部、３１・・・入賞装置、３３・・・アルミ製シート。
【図１】
0003807960.tif 000002
【図２】
0003807960.tif 000003
【図３】
0003807960.tif 000004